(57)【要約】【課題】単一種類の合成樹脂製絶縁体１７，２２，２４を用いて口金１５，２１，２３，２５の口径サイズが異なる数種類のＬＥＤランプ１０，３０，４０の組み立てを可能にし、もってＬＥＤランプ１０，３０，４０の製造コストの低減を図ることを目的とする。【解決手段】大径の円筒形嵌合部２４ｂ、中径の円筒形嵌合部２４ｃ又は小径の円筒形嵌合部２４ｄのいずれか一つに適合する口径サイズの口金１５，２１，２５を択一的に合成樹脂製絶縁体２４の他端側に嵌合する。単一種類の合成樹脂製絶縁体２４を用いて３種類の異なる口径サイズの口金１５，２１，２５を備えたＬＥＤランプ４０を組み立てることができる。【選択図】図６
2014035790.tif 000002
【特許請求の範囲】
【請求項１】
ＬＥＤチップを実装したモジュール基板を金属製の放熱体の一端に固定し、モジュール基板を覆うように透明又は半透明のグローブを放熱体の一端に固定し、放熱体の他端に合成樹脂製絶縁体を介して口金を取り付け、ＬＥＤチップに電力を供給する点灯回路を放熱体及び／又は口金の内部に配置し、点灯回路と口金を電気的に接続したＬＥＤランプであって、
前記合成樹脂製絶縁体が外径寸法の異なる複数の円筒形嵌合部を備え、各円筒形嵌合部が外径寸法の大きさの順序で一端側から他端側へ並ぶように各円筒形嵌合部を一体成形し、
合成樹脂製絶縁体の一端に放熱体を嵌合し、合成樹脂製絶縁体の他端側のいずれかの円筒形嵌合部の一つに口金を嵌合したことを特徴とするＬＥＤランプ。
【請求項２】
前記円筒形嵌合部が大径の円筒形嵌合部と小径の円筒形嵌合部から成り、大径の円筒形嵌合部又は小径の円筒形嵌合部に口金を嵌合したことを特徴とする請求項１に記載のＬＥＤランプ。
【請求項３】
前記円筒形嵌合部が大径の円筒形嵌合部と中径の円筒形嵌合部及び小径の円筒形嵌合部から成り、大径の円筒形嵌合部、中径の円筒形嵌合部又は小径の円筒形嵌合部のいずれか一つの円筒形嵌合部に口金を嵌合したことを特徴とする請求項１に記載のＬＥＤランプ。
【発明の詳細な説明】
【技術分野】
【０００１】
本発明は、ＬＥＤチップを光源として内蔵するＬＥＤランプに関する。
【背景技術】
【０００２】
近時、消費電力の大きい白熱電球に代えて、消費電力の少ないＬＥＤを光源として用いるＬＥＤランプの需要が高まっている。
一般に、この種のＬＥＤランプはＬＥＤチップを実装したモジュール基板を熱伝導性と放熱性に優れたアルミニウムなどの金属製の放熱体の一端に固定し、モジュール基板を覆うように透明又は半透明のグローブを放熱体に取付け、放熱体の他端側に合成樹脂製の絶縁体を介して口金を取り付け、ＬＥＤチップに電力を供給する点灯回路を放熱体に内蔵し、点灯回路と口金を電気的に接続した構成を備えている。
【先行技術文献】
【特許文献】
【０００３】
【特許文献１】特開２０１１−７０９７２号公報
【特許文献２】特開２０１１−８２１３２号公報
【特許文献３】特開２０１１−９０８２８号公報
【特許文献４】特開２０１１−９１０３３号公報
【発明の概要】
【発明が解決しようとする課題】
【０００４】
この種のＬＥＤランプでは、点灯時に発生する熱を放熱体から外部に発散させることにより、放熱体内部の点灯回路が熱で劣化するのを防止している。この放熱体は金属製であり、導電性を有するので、口金を直接放熱体に取り付けるのではなく、放熱体と間に合成樹脂製の絶縁体を介して放熱体に取り付けている。
【０００５】
ところで、電球の口金に関し、国際規格で複数種類の口径サイズが定められている。合成樹脂製絶縁体を介して口金を放熱体に装着するには、口金の口径サイズに適合する合成樹脂製絶縁体が必要となる。従って、口径サイズの異なる口金を備えた複数種類のＬＥＤランプを製造するには、複数種類の合成樹脂製絶縁体が必要となり、合成樹脂製絶縁体の製造用金型も複数種類必要となる。そのため、合成樹脂製絶縁体の製造用金型の製造コスト、ひいてはＬＥＤランプの製造コストが高くなる。
【０００６】
本発明はかかる問題点に鑑み、単一種類の合成樹脂製絶縁体を用いて口金の口径サイズが異なる数種類のＬＥＤランプの組み立てを可能にし、もってＬＥＤランプの製造コストの低減を図ることを目的とする。
【課題を解決するための手段】
【０００７】
請求項１に記載の発明は、ＬＥＤチップを実装したモジュール基板を金属製の放熱体の一端に固定し、モジュール基板を覆うように透明又は半透明のグローブを放熱体の一端に固定し、放熱体の他端に合成樹脂製絶縁体を介して口金を取り付け、ＬＥＤチップに電力を供給する点灯回路を放熱体及び／又は口金の内部に配置し、点灯回路と口金を電気的に接続したＬＥＤランプであって、
前記合成樹脂製絶縁体が外径寸法の異なる複数の円筒形嵌合部を備え、各円筒形嵌合部が外径寸法の大きさの順序で一端側から他端側へ並ぶように各円筒形嵌合部を一体成形し、
合成樹脂製絶縁体の一端に放熱体を嵌合し、合成樹脂製絶縁体の他端側のいずれかの円筒形嵌合部の一つに口金を嵌合したことを特徴とする。
【０００８】
請求項２に記載の発明は、請求項１に記載のＬＥＤランプにおいて、前記円筒形嵌合部が大径の円筒形嵌合部と小径の円筒形嵌合部から成り、大径の円筒形嵌合部又は小径の円筒形嵌合部に口金を嵌合したことを特徴とする。
【０００９】
請求項３に記載の発明は、請求項１に記載のＬＥＤランプにおいて、前記円筒形嵌合部が大径の円筒形嵌合部と中径の円筒形嵌合部及び小径の円筒形嵌合部から成り、大径の円筒形嵌合部、中径の円筒形嵌合部又は小径の円筒形嵌合部のいずれか一つの円筒形嵌合部に口金を嵌合したことを特徴とする。
【発明の効果】
【００１０】
請求項１に記載の発明によれば、外径寸法の異なる複数の円筒形嵌合部を外径寸法の大きさの順序で一端から他端へ並べたので、口径サイズの異なる複数種類の口金の中から、他端側のいずれか一つの円筒形嵌合部に適合する口径サイズの口金を合成樹脂製絶縁体の他端側に嵌合できる。
従って、単一種類の合成樹脂製絶縁体を用いて異なる口径サイズの口金を備えた複数種類のＬＥＤランプを組み立てることができる。そのため、合成樹脂製絶縁体の金型の製造コストひいてはＬＥＤランプの製造コストを低減できる。
【００１１】
請求項２に記載の発明によれば、大径の円筒形嵌合部又は小径の円筒形嵌合部に適合する口径サイズの口金を択一的に合成樹脂製絶縁体の他端側に嵌合できるので、一種類の合成樹脂製絶縁体を用いて２種類の異なる口径サイズの口金を備えたＬＥＤランプを組み立てることができる。
【００１２】
請求項３に記載の発明によれば、大径の円筒形嵌合部、中径の円筒形嵌合部又は小径の円筒形嵌合部のいずれか一つに適合する口径サイズの口金を合成樹脂製絶縁体の他端側に嵌合できるので、一種類の合成樹脂製絶縁体を用いて３種類の異なる口径サイズの口金を備えたＬＥＤランプを組み立てることができる。
【図面の簡単な説明】
【００１３】
【図１】大口径サイズの口金を備えた本発明の第１実施例に係るＬＥＤランプを示す断面図である。
【図２】本発明の第１実施例に係るＬＥＤランプの合成樹脂製絶縁体を示す断面図である。
【図３】小口径サイズの口金を備えた本発明の第１実施例に係るＬＥＤランプを示す断面図である。
【図４】大口径サイズの口金を備えた本発明の第２実施例に係るＬＥＤランプを示す断面図である。
【図５】小口径サイズの口金を備えた本発明の第２実施例に係るＬＥＤランプを示す断面図である。
【図６】大口径サイズの口金を備えた本発明の第３実施例に係るＬＥＤランプを示す断面図である。
【図７】中口径サイズの口金を備えた本発明の第３実施例に係るＬＥＤランプを示す断面図である。
【図８】小口径サイズの口金を備えた本発明の第３実施例に係るＬＥＤランプを示す断面図である。
【実施例１】
【００１４】
以下に本発明を図面に基づき説明するに、図１には本発明の第１実施例に係るＬＥＤランプ１０が示されている。当該ＬＥＤランプ１０はアルミニウム製の放熱体１１、ＬＥＤチップ１２を実装したモジュール基板１３、半透明のガラス製または樹脂製のドーム形グローブ１４、口金１５、ＬＥＤチップ１２に電力を供給する点灯回路１６及び合成樹脂製絶縁体１７を備えている。
【００１５】
放熱体１１は筒構造を有し、外周部には表面積を増加して放熱効果を高めるため多数のフィン１１ａが形成されている。放熱体１１の一端には、台座１１ｂが突出して設けられ、台座１１ｂにモジュール基板１３が固定されている。放熱体１１の他端の開口端面１１ｃに合成樹脂製絶縁体１７を介して口金１５が装着され、放熱体１１の内部空間と口金１５の内部空間が連通している。そして、放熱体１１の内部空間に点灯回路１６が配置され、モジュール基板１３と点灯回路１６がリード線１８で接続されて、点灯回路１６と口金１５がリード線１９で電気的に接続されている。
【００１６】
放熱体１１の一端面側には台座１１ｂを取り囲むようにリング溝１１ｄが形成されている。このリング溝１１ｄにグローブ１４の下端の開口端部が嵌合し、接着剤によって放熱体１１に固着されている。このグローブ１４はモジュール基板１３を覆うように放熱体１１に取り付けられている。
【００１７】
放熱体１１の台座１１ｂに導光部材２０が固定されている。導光部材２０はプラスチック成形品で先端部に反射面２０ａが形成されている。一方、導光部材２０の基端部には凹部２０ｂが形成され、この凹部２０ｂをＬＥＤチップ１２に被せるようにして導光部材２０が台座に取付けられている。凹部２０ｂに対向配置したＬＥＤチップ１２が発する光は凹部２０ｂから導光部材２０中に入射し、反射面２０ａで反射されて、周囲に拡散する。
【００１８】
図１及び図２に示すように、合成樹脂製絶縁体１７は円筒形ベース部１７ａ、大径の円筒形嵌合部１７ｂ及び小径の円筒形嵌合部１７ｃから成り、円筒形ベース部１７ａ、大径の円筒形嵌合部１７ｂ及び小径の円筒形嵌合部１７ｃが外径寸法の大きさの順序で一端側から他端側へ並ぶように一体成形されている。ベース部１７ａの外周にはリング状の係止凸条１７ｄが形成されている。また、ベース部１７ａには複数箇所に貫通穴１７ｅが形成されている。
【００１９】
合成樹脂製絶縁体１７は、リング凸条１７ｄが放熱体１１の開口１１ｃの端部に当接するまでベース部１７ａを開口１１ｃに嵌合し、ベース部１７ａを接着剤で開口１１ｃの端部に接着することにより放熱体１１に固着されている。このようにして放熱体１１に一端を固着した合成樹脂製絶縁体１７には、２種類の口金１５，２１のいずれかが装着される。図１に示すＬＥＤランプ１０の放熱体１１には口径サイズが１７ｍｍの口金１５が装着されている。この口金１５は合成樹脂製絶縁体１７の大径の円形嵌合部１７ｂに嵌合され、接着剤で接着されている。一方、図３に示すＬＥＤランプ１０の放熱体１１には口径サイズが１４ｍｍの口金２１が装着されている。この口金２１は合成樹脂製絶縁体１７の小径の円形嵌合部１７ｃに嵌合して接着されている。
【００２０】
第１実施例に係るＬＥＤランプ１０の構造は以上の通りであって、第１実施例に係るＬＥＤランプ１０によれば、大径の円筒形嵌合部１７ｂに適合する口径サイズ１７ｍｍの口金１５又は小径の円筒形嵌合部１７ｃに適合する口径サイズ１４ｍｍの口金２１を択一的に合成樹脂製絶縁体１７の他端側に嵌合できるので、単一種類の合成樹脂製絶縁体１７を用いて２種類の異なる口径サイズの口金１５，２１を備えたＬＥＤランプ１０を構成できる。
【００２１】
合成樹脂製絶縁体１７に貫通穴１７ｅを形成したので、放熱体１１の内部の加熱された空気を外部に排出でき、放熱体１１の温度上昇を効果的に抑制できる。
【００２２】
本発明の第２実施例に係るＬＥＤランプ３０を図４及び図５に示す。当該ＬＥＤランプ３０の合成樹脂製絶縁体２２は第１実施例に係るＬＥＤランプ１０の合成樹脂製絶縁体１７と同様に、円筒形のベース部２２ａ、大径の円筒形嵌合部２２ｂ及び小径の円筒形嵌合部２２ｃから成り、ベース部２２ａ、大径の円筒形嵌合部２２ｂ及び小径の円筒形嵌合部２２ｃが一体成形されている。ベース部２２ａの外周にはリング状の係止凸条２２ｄが形成されている。また、ベース部２２ａには複数箇所に貫通穴２２ｅが形成されている。
なお、第２実施例に係るＬＥＤランプ３０の他の構成は第１実施例に係るＬＥＤランプ１０と同じであるので、同一の構成要素に同一の符号を付して説明を省略する。
【００２３】
図４に示すＬＥＤランプ３０では、合成樹脂製絶縁体２２の大径の円形嵌合部２２ｂに口径サイズ１７ｍｍの口金１５が装着されている。一方、図５に示すＬＥＤランプ３０では、合成樹脂製絶縁体２２の小径の円形嵌合部２２ｃに口径サイズ１２ｍｍの口金２３が装着されている。このように第２実施例に係るＬＥＤランプ３０では、大径の円筒形嵌合部２２ｂに適合する口径サイズ１７ｍｍの口金１５又は小径の円筒形嵌合部２２ｃに適合する口径サイズ１２ｍｍの口金２３を択一的に合成樹脂製絶縁体２２の他端側に嵌合できる。
【００２４】
本発明の第３実施例に係るＬＥＤランプ４０を図６、図７及び図８に示す。当該ＬＥＤランプ４０の合成樹脂製絶縁体２４は円筒形のベース部２４ａ、大径の円筒形嵌合部２４ｂ、中径の円筒形嵌合部２４ｃ及び小径の円筒形嵌合部２４ｄから成り、ベース部２４ａ、大径の円筒形嵌合部２４ｂ、中径の円筒形嵌合部２４ｃ及び小径の円筒形嵌合部２４ｄが外径寸法の大きさの順序で一端側から他端側へ並ぶように一体成形されている。ベース部２４ａの外周にはリング状の係止凸条２４ｅが形成されている。また、ベース部２４ａには複数箇所に貫通穴２４ｆが形成されている。
なお、第３実施例に係るＬＥＤランプ４０の他の構成は第１実施例に係るＬＥＤランプ１０と同じであるので、同一の構成要素に同一の符号を付して説明を省略する。
【００２５】
図６に示すＬＥＤランプ４０では、合成樹脂製絶縁体２４の大径の円筒形嵌合部２４ｂに口径サイズ２６ｍｍの口金２５が装着されている。図７に示すＬＥＤランプ４０では、合成樹脂製絶縁体２４の中径の円形嵌合部２４ｃに口径サイズ１７ｍｍの口金１５が装着されている。また、図８に示すＬＥＤランプ４０では、合成樹脂製絶縁体２４の小径の円筒形嵌合部２４ｄに口径サイズ１４ｍｍの口金２１が装着されている。このように、第３実施例に係るＬＥＤランプ４０では、大径の円筒形嵌合部２４ｂ、中径の円筒形嵌合部２４ｃ又は小径の円筒形嵌合部２４ｄのいずれか一つに適合する口径サイズの口金１５，２１，２５を択一的に合成樹脂製絶縁体２４の他端側に嵌合できるので、単一種類の合成樹脂製絶縁体２４を用いて３種類の異なる口径サイズの口金１５，２１，２５を備えたＬＥＤランプ４０を組み立てることができる。
【符号の説明】
【００２６】
１０，３０，４０…ＬＥＤランプ
１１…放熱体
１１ａ…フィン
１２…ＬＥＤチップ
１３…モジュール基板
１４…グローブ
１５，２１，２３，２５…口金
１６…点灯回路
１７，２２，２４…合成樹脂製絶縁体
１７ａ，２２ａ，２４ａ…ベース部
１７ｂ，２２ｂ，２４ｂ…大径の円筒形嵌合部
１７ｃ，２２ｃ，２４ｄ…小径の円筒形嵌合部
２４ｃ…中径の円筒形嵌合部
【図１】
2014035790.tif 000003
【図２】
2014035790.tif 000004
【図３】
2014035790.tif 000005
【図４】
2014035790.tif 000006
【図５】
2014035790.tif 000007
【図６】
2014035790.tif 000008
【図７】
2014035790.tif 000009
【図８】
2014035790.tif 000010